(57)【要約】【課題】  フィルム幅サイズに規制されずにフィルム送りが可能で、１駒ネガ等の短尺フィルムでも駒位置の位置決めを容易に行うことが可能なフィルムキャリア又はフィルムマスクを提供する。【解決手段】  画枠となる開口が形成されたフィルム支持部材と、該フィルム支持部材上に配置されたフィルムの、厚さ方向の側面に摩擦力を与えてフィルムを搬送するフィルム搬送部材とを有するフィルムキャリア又はフィルムマスク。【選択図】        図３
2005181500.tif 000002
【特許請求の範囲】
【請求項１】
画枠となる開口が形成されたフィルム支持部材と、該フィルム支持部材上に配置されたフィルムの、厚さ方向の側面に摩擦力を与えてフィルムを搬送するフィルム搬送部材とを有することを特徴とするフィルムキャリア。
【請求項２】
前記フィルム搬送部材が回転部材、ベルト、摩擦板から選ばれることを特徴とする請求項１に記載のフィルムキャリア。
【請求項３】
フィルム搬送方向に沿って、少なくとも画枠領域のフィルムの少なくとも一方の端面を覆う、フィルム浮き上がり防止部材を有することを特徴とする請求項１又は２に記載のフィルムキャリア。
【請求項４】
フィルム搬送部材が複数の駆動伝達手段から構成されることを特徴とする請求項１〜３の何れか１項に記載のフィルムキャリア。
【請求項５】
フィルム搬送方向に沿って、フィルム幅を規制する幅規制部材を有し、該幅規制部材及び／又はフィルム搬送部材がフィルムの幅方向で移動可能であることを特徴とする請求項１〜４の何れか１項に記載のフィルムキャリア。
【請求項６】
前記フィルム搬送部材を、搬送されるフィルムの両側面に有することを特徴とする請求項１〜５の何れか１項に記載のフィルムキャリア。
【請求項７】
画枠となる開口が形成されたフィルム支持部材と、該フィルム支持部材上に配置されたフィルムの、厚さ方向の側面に摩擦力を与えてフィルムを搬送するフィルム搬送部材とを有することを特徴とするフィルムマスク。
【請求項８】
前記フィルム搬送部材が回転部材、ベルト、摩擦板から選ばれることを特徴とする請求項７に記載のフィルムマスク。
【請求項９】
フィルム搬送方向に沿って、少なくとも画枠領域のフィルムの少なくとも一方の端面を覆う、フィルム浮き上がり防止部材を有することを特徴とする請求項７又は８に記載のフィルムマスク。
【請求項１０】
フィルム搬送部材が複数の駆動伝達手段から構成されることを特徴とする請求項７〜９の何れか１項に記載のフィルムマスク。
【請求項１１】
フィルム搬送方向に沿って、フィルム幅を規制する幅規制部材を有し、該幅規制部材及び／又はフィルム搬送部材がフィルムの幅方向で移動可能であることを特徴とする請求項７〜１０の何れか１項に記載のフィルムマスク。
【請求項１２】
前記フィルム搬送部材を、搬送されるフィルムの両側面に有することを特徴とする請求項７〜１１の何れか１項に記載のフィルムマスク。
【発明の詳細な説明】
【技術分野】
【０００１】
本発明は、現像済のフィルムを用いる露光装置や当該フィルムの画像を読み込むスキャナに装填して用いられるフィルムキャリア及びフィルムマスクに関する。
【背景技術】
【０００２】
一般にプリンタプロセッサは、図１に示す如く、フィルムキャリア３００の窓領域１に位置付けられた写真フィルムＦに記録されている駒画像を撮像するフィルムスキャナ１１０を有し、このフィルムスキャナ１１０により撮像された画像から露光量を決定し、また、当該駒画像に対する駒番号を設定し、決定された露光量に基づいて、前記写真フィルムＦの当該駒画像からプリント用感光材料Ｐに焼付露光して、設定された前記駒番号を当該プリント用感光材料Ｐに記録する投影焼付装置１００と、プリント用感光材料を現像処理する自動現像機２００とからなる。１７０は、プリント用感光材料Ｐを収容したマガジンＭをセットするマガジンセット部である。
【０００３】
フィルムスキャナ１１０においては、光源１０２の白色発光が色フィルタ部１０４を介して拡散ボックス１０６で均一に拡散されて、フィルムキャリア３００の窓領域１に位置付けられた写真フィルムＦの駒画像を均一に照明する。照明された写真フィルムＦの駒画像は、可動ミラー１１２により反射されて、結像レンズ１１４により、撮像素子を内蔵した撮像部１１６の撮像素子上に結像される。撮像素子上に結像された駒画像は光電変換され、デジタル化されて、デジタル画像データとして制御部１２０に送信される。
【０００４】
フィルムキャリア３００の窓領域１の鉛直方向下方にズームレンズ１２６が設けられ、その下方に、露光台１４０が設けられている。また、フィルムキャリア３００の窓領域１とズームレンズ１２６との間にシャッタを露光光路に挿入離脱させるシャッタ制御部１２４が設けられている。
【０００５】
図２はここに用いるフィルムキャリアの１例で、カバー部材を開いた状態の正面上方側から見た概略斜視図である。
【０００６】
このフィルムキャリア３００は、本体部３０１とマスク（外した状態で図示せず）と圧着部材（同前）とソレノイド３６０とカバー部材３７０とを有する。本体部３０１には、写真フィルムＦが移動するフィルム用案内路３２０が設けられ、フィルム用案内路３２０に窓３２１が設けられている。なおマスクは、本体部３０１の窓３２１近傍を覆うように配置され、圧着部材は、マスクが本体部３０１に対してフィルム搬送方向に位置決めされた状態を維持しながら、窓３２１近傍に圧着するために、マスクの、フィルムの駒画像の周囲に相当する端部を保持する。
【０００７】
ソレノイド３６０は、圧着部材を上下動させるもので、ソレノイド３６０により圧着部材に保持されたマスクをフィルム用案内路３２０に押圧することにより、駒画像周辺の写真フィルムＦをフィルム用案内路３２０に圧着させることができる。マスクは、プリントする写真フィルムＦの駒画像の画面サイズ（例えば１３５フィルムの場合、フルサイズ、ハーフサイズ、パノラマサイズ、ワイドサイズなど）によってセットされるべきものが異なる。
【０００８】
３４６〜３４８は搬送駆動ローラで、図示しないパルスモータの回転駆動がプーリ等を介して伝達されて回転駆動し、フィルム用案内路３２０で写真フィルムＦを対向側のニップローラ３５６〜３５８とで挟持（ニップ）して往復搬送できる。
【０００９】
なお３１９は写真フィルムＦの挿入を検出するための挿入検出センサ、３１８は挿入検出センサ３１９用の光源である発光ダイオード、３１７は搬送されている写真フィルムＦのＤＸコードを検出するためのＤＸコードセンサ、３１６はＤＸコードセンサ３１７用の光源である発光ダイオード、３１５は搬送されている写真フィルムＦの駒番号コードを検出するための駒番号コードセンサ、３１４は駒番号コードセンサ３１５用の光源である発光ダイオード、３１３、３１１はそれぞれ搬送されている写真フィルムＦの駒画像の位置を検出するための駒画像検出センサ、３１２、３１０は駒画像検出センサ３１３、３１１用の光源である発光ダイオードである。
【００１０】
この様なフィルムキャリアは例えば特許文献１等に記載される。
【特許文献１】特開平１１−２３７６９８号公報
【発明の開示】
【発明が解決しようとする課題】
【００１１】
上記のフィルムキャリアではフィルムの搬送を上下の搬送駆動ローラでニップして行うため、ローラで画像面を挟むと画面上に疵を付けたり埃が付着したりしてしまうことが有る。このため、例えばパーフォレーション部分など画面の外枠をローラで挟持する構成とするのが望ましいが、ブローニーサイズの様に外枠の幅が狭いものでは搬送し難い難点が有る。
【００１２】
又、上記フィルムキャリアの様にフィルムを固定して露光したり画像のスキャニングをしたりする装置においては、証明写真用途や記念撮影用途の１駒サイズに切断されているネガフィルム等の短尺フィルムの場合、フイルムキャリア又はマスクのフィルム用案内路上の画枠に合わせて駒位置を調整する際、フィルムを再装着したり、フィルムの画面上に直接触れて調整しなければならない。
【００１３】
本発明は上記の事情に鑑みてなされたものであり、その目的は、フィルム幅サイズに規制されずにフィルム送りが可能で、上記１駒ネガ等の短尺フィルムでも駒位置の位置決めを容易に行うことが可能なフィルムキャリア又はフィルムマスクを提供することにある。
【課題を解決するための手段】
【００１４】
本発明の上記目的は、
１．画枠となる開口が形成されたフィルム支持部材と、該フィルム支持部材上に配置されたフィルムの、厚さ方向の側面に摩擦力を与えてフィルムを搬送するフィルム搬送部材とを有するフィルムキャリア又はフィルムマスク、
２．前記フィルム搬送部材が回転部材、ベルト、摩擦板から選ばれる１のフィルムキャリア又はフィルムマスク、
３．フィルム搬送方向に沿って、少なくとも画枠領域のフィルムの少なくとも一方の端面を覆う、フィルム浮き上がり防止部材を有する１又は２のフィルムキャリア又はフィルムマスク、
４．フィルム搬送部材が複数の駆動伝達手段から構成される１〜３の何れかのフィルムキャリア又はフィルムマスク、
５．フィルム搬送方向に沿って、フィルム幅を規制する幅規制部材を有し、該幅規制部材及び／又はフィルム搬送部材がフィルムの幅方向で移動可能である１〜４の何れかのフィルムキャリア又はフィルムマスク、
６．前記フィルム搬送部材を、搬送されるフィルムの両側面に有する１〜５の何れかのフィルムキャリア又はフィルムマスク、
によって達成される。
【発明の効果】
【００１５】
本発明のフィルムキャリア及びフィルムマスクによれば、搬送手段の構造を簡易にできるにも拘わらず、フィルム幅サイズに規制されずに、また短尺フィルムであっても、搬送と位置合わせを確実に行うことができる。また、従来の様なローラでニップする方式に比べて、画枠近傍のフィルム上面側の搬送機構を必要としないため、画面の視認性を妨げたり、露光やスキャニングにおける不具合を招いたりすることがない。
【発明を実施するための最良の形態】
【００１６】
以下、図も用いて本発明の実施形態について述べるが、これにより本発明が限定されるものではない。
【００１７】
図３は本発明のフィルムキャリアの１例の外観斜視図である。
【００１８】
図３のフィルムキャリア３００において、２０が画枠となる開口１が形成されたフィルム支持部材であり、フィルム支持部材２０上に、フィルムの厚さ方向の側面に摩擦力を与えてフィルムを搬送するフィルム搬送部材（コロ）３を有する。例えばブローニー（１２０）サイズ等のフィルムの様に駒画像サイズの大きいフィルムの場合、開口１にはフィルム駒画像面の平滑度を保護するために光透過を遮らないガラス等がはめ込まれているのが好ましい。２２は持ち運びやスキャナ等への装着の作業性が考慮されて設けられた取手である。
【００１９】
コロ３は回転軸３０に対して大きなクリアランス（遊び）を有する形で配置され、指で押すことでフィルムに当接される様になっている。
【００２０】
４０はフィルム浮き上がり防止部材としての機能も有するフィルム圧着板であり、支持ブランケット４１に掛け渡されたヒンジシャフト（図示せず）によりフィルム支持部材２０に設けられたヒンジブランケット２１に、取り外し可能且つ開閉可能に軸支されている。４２は圧着板を開閉するための開閉レバーである。また２４はブローニーフィルムの場合の画面サイズ（いわゆる６×９、６×８、６×４．５サイズ等）の位置を示す指標で、圧着版４０が開いている状態で大凡の位置決めができる様に設けられている。なお圧着版４０は画面サイズ毎に取り替えて用いる。
【００２１】
フィルム支持部材２０にはストッパレバー２３がバネにより回動可能に設けられ、フィルム圧着板４０が支持部材２０に突き当たる形で閉じるのが防止される。この状態でコロ３を回転させてフィルムを搬送すれば、圧着板のヒンジ側でフィルムの浮き上がりが防止される。圧着板４０は一旦ストッパレバー２３の端部２３１に突き当たり、ストッパレバー２３が回動されることでフィルムを圧着し、支持部材２０側のピン２５、２６部分の孔に当該ピンが嵌挿されて固定される。
【００２２】
図３のフィルムキャリアではフィルム搬送部材３をコロで構成したが、コロやローラといった回転部材に限らず、フィルムの厚さ方向の側面に摩擦力を与えてフィルムを搬送することが可能であればどの様な部材で構成しても良く、他に好ましく用いられるものとしては、フィルム搬送方向の画枠に沿って２個の回転ローラを配置しベルトを掛け渡して、該ベルトをフィルム側面に当接させ、ローラによりベルトを移動させることによる摩擦力を与える形式、バネなどでフィルム搬送方向上流側に付勢されて配置されるバー形状の摩擦板を指でフィルムに押し当てつつ搬送方向下流側に移動させる形式などが挙げられる。なお後者の形式では指を離すと摩擦板が基準位置に戻る様にするのが好ましい。
【００２３】
またフィルム浮き上がり防止部材は上述の様な圧着板形状が好ましいが、フィルム搬送方向に沿って、少なくとも画枠領域のフィルムの少なくとも一方の端面を覆う形状であれば、フィルム搬送部材からの摩擦搬送力がフィルムが浮き上がることにより低下することを防止できる。
【００２４】
なお図３のフィルムキャリアではフィルム搬送部材であるコロを直に指で転がす態様となっているが、駆動モータによる回転駆動を伝達系で伝達する構成としても良い。その際駆動伝達系を２個以上の歯数が異なるギアの組合せで構成するとフィルム搬送速度（送り量）を変更することが可能となる。プーリで駆動伝達しても同様である。また２個以上の径の異なるコロをフィルム搬送方向の画枠に沿って並べ、フィルム側面に当接させて回転させるコロを変更することでもフィルム送り量を変更可能である。２個の円錐とベルトを組み合わせるいわゆるＣＶＴ方式の変速手段を構成しても良い。
【００２５】
図４（ａ）に示すフィルム支持部材２０はフィルム搬送部材を２個のコロ３１、３２で構成するものである。図３のフィルム搬送部材は１個のコロであるため、フィルムを進行させる方向と反対方向にコロを回すことになり、慣れないと位置の調整に手間取る懸念も有るが、この様に２個のコロで構成すると、フィルムに当接させない方のコロ３２をフィルムを進行させる方向と同方向に回すことができる。なお２７、２８はフィルム幅の規制部材であり、これらがガイドとなって画枠上にフィルム搬送路が形成される。
【００２６】
また図４（ｂ）に示す様にバネなどの弾性部材３３１で支持される円錐台形状のコロ３３とすれば、フィルムＦとの当接位置を変えて回転半径を変更できるのでフィルム送り量の変更を１個のコロで行うことができる。
【００２７】
以上説明した様に、フィルム搬送部材を複数の駆動伝達手段から構成することにより、送り量の変更が可能になったり、オペレータの作業性が向上したりと、付加的な機能を設定できて好ましい。
【００２８】
図４（ａ）のフィルム支持部材２０が有するフィルム幅の規制部材２７，２８はフィルムの両側面を規制する形態で固定されているが（特定フィルム幅のもの専用であるが）、フィルム搬送部材と対向する側面側には幅方向に移動可能な規制部剤を設けて、多種のフィルム幅に対応できる様にしてもよい。フィルム搬送部材側の規制部材もフィルムの幅方向に移動可能に構成し、搬送部材ごと移動させても良い。この場合、従来技術のフィルムキャリアが有する様な駒画像の位置検出センサを、最小幅のフィルムの搬送路内に設ければ、各サイズとも検出できて好ましい。
【００２９】
また、フィルムに掛かる摩擦力を分散させてフィルムの負荷を低減するために、フィルム搬送部材を、搬送されるフィルムの両側面に設けることも好ましい態様である。
【図面の簡単な説明】
【００３０】
【図１】一般的なプリンタプロセッサの概略構成図である。
【図２】従来のフィルムキャリアの１例で、カバー部材を開いた状態の正面上方側から見た概略斜視図である。
【図３】本発明のフィルムキャリアの１例の外観斜視図である。
【図４】フィルム支持部材の他の態様を示す図である。
【符号の説明】
【００３１】
１、３２１  画枠となる開口
３、３１、３２  フィルム搬送部材
２０  フィルム支持部材
２３  ストッパレバー
４０  フィルム圧着板
１００  投影焼付装置
１１０  フィルムスキャナ
２００  自動現像機
３００  フィルムキャリア
３５６〜３５８  搬送駆動ローラ
【図１】
2005181500.tif 000003
【図２】
2005181500.tif 000004
【図３】
2005181500.tif 000005
【図４】
2005181500.tif 000006